(57)【要約】      （修正有）【課題】円すいころ軸受の分割型保持器を構成するセグメントにおいて、その円すいころ軸受の装置への組み込み時にセグメントのバラケを防止し、組み込みの作業性を向上させる。【解決手段】分割型保持器１６の小径側周縁を構成する小径側端辺２８と、大径側周縁を構成する大径側端辺２９との間に所要数の柱部３１が設けられ、柱部３１間にポケット３２が形成された円すいころ軸受のセグメント２７において、前記小径側端辺２８と大径側端辺２９のうち少なくとも大径側端辺２９に大径側係合片３６を設け、軸受の組み込み時においてその大径側係合片３６を軸受内輪に嵌合固定した大径係合部材に係合させることで、セグメント２７のバラケを防止するようにした。【選択図】図２
2011149549.tif 000002
【特許請求の範囲】
【請求項１】
円すいかご形の保持器をその中心線を含む分割面で等分割した形状をなし、
環状に組み合わせて形成される分割型保持器の小径側周縁を構成する小径側端辺と、前記分割型保持器の大径側周縁を構成する大径側端辺との間に所要数の柱部が設けられ、柱部間にころ保持用のポケットが形成された円すいころ軸受の保持器セグメントにおいて、前記小径側端辺と大径側端辺のうち少なくとも大径側端辺に軸方向外向きに突き出した大径側係合片が設けられたことを特徴とする円すいころ軸受の保持器セグメント。
【請求項２】
前記柱部の外輪軌道側の面に各ポケットに収納された円すいころに対する係合爪が設けられことを特徴とする請求項１に記載の保持器セグメント。
【請求項３】
前記小径側端辺に軸方向外向きに突き出した小径側係合片が設けられたことを特徴とする請求項１又は２に記載の円すいころ軸受の保持器セグメント。
【請求項４】
前記大径側係合片及び小径側係合片が、それぞれ軸受内輪の大つば及び小つばの軸方向外側に設けられた大径取付部及び小径取付部の外周にまで突き出す大きさに形成されたことを特徴とする請求項３に記載の円すいころ軸受の保持器セグメント。
【請求項５】
前記ポケットを形成する柱部のうち、左右両端部の各柱部の内側面にポケット内方へ突き出した抜け止め突起が設けられ、前記抜け止め突起の突き出し量が、当該ポケットに対する円すいころの強制嵌入を許容する一方、強制嵌入後の抜け出しを規制する大きさに設定されたことを特徴とする請求項１から４のいずれかに記載の円すいころ軸受の保持器セグメント。
【請求項６】
前記抜け止め突起の突き出し量が、前記円すいころの平均径の２〜８％であることを特徴とする請求項５に記載の円すいころ軸受の保持器セグメント。
【請求項７】
前記抜け止め突起が、前記ポケットのセンターに対し、前記小径側端辺に片寄って設けられたことを特徴とする請求項５又は６に記載の円すいころ軸受の保持器セグメント。
【請求項８】
前記保持器セグメントは、セグメント本体と、その外周に一体に設けられた外枠部材とから構成され、前記セグメント本体に前記のポケットが形成され、前記外枠部材に前記の大径側係合片及び小径側係合片が設けられたことを特徴とする請求項３から７のいずれかに記載の円すいころ軸受の保持器セグメント。
【請求項９】
前記セグメント本体は合成樹脂製であり、前記外枠部材が金属製であることを特徴とする請求項５に記載の円すいころ軸受の保持器セグメント。
【請求項１０】
前記セグメント本体と前記外枠部材が合成樹脂によって一体成形されたことを特徴とする請求項９に記載の円すいころ軸受の保持器セグメント。
【請求項１１】
請求項１に記載の保持器セグメントを用いて分割型保持器を構成した円すいころ軸受において、軸受内輪の大つばの軸方向外側に設けられた大径取付部に大径係合部材が嵌合固定され、前記大径係合部材はその係合凹部が内向きとなる逆Ｌ形の断面形状に形成されたことを特徴とする円すいころ軸受。
【請求項１２】
請求項２から７のいずれかに記載の保持器セグメントを用いて分割型保持器を構成した円すいころ軸受において、軸受内輪の小つば及び大つばの軸方向外側に設けられた小径取付部と大径取付部にそれぞれ小径係合部材及び大径係合部材が嵌合固定され、前記小径係合部材及び大径係合部材は、いずれも係合凹部が内向きとなる逆Ｌ形の断面形状に形成されたことを特徴とする円すいころ軸受。
【請求項１３】
前記小径係合部材及び大径係合部材は、それぞれ半割リング形の係合部材半体をリング状にねじ結合したものであることを特徴とする請求項１２に記載の円すいころ軸受。
【請求項１４】
前記半割リング形の一方の係合部材半体は、その両端部に外径方向に突き出した連結つば部の対向面にねじ穴がそれぞれ設けられ、他方の係合部材半体は、前記ねじ穴のねじの向きのみが逆ねじの対象形状に形成され、中間軸部の両端部にそれぞれ逆ねじのねじ軸が設けられた連結部材の各ねじ軸を前記の対応するねじ穴にねじ結合することにより、両方の係合部材半体を引き寄せてリング状に連結することを特徴とする請求項１２に記載の円すいころ軸受。
【請求項１５】
前記小径側係合部材の係合凹部と前記小径側係合片との径方向すき間、及び前記大径側係合部材の係合凹部と前記大径側係合片との径方向すき間が、いずれも前記ポケットに設けられた前記係合爪との間の径方向すき間より大である関係に設定されたことを特徴とする請求項１１から１４のいずれかに記載の円すいころ軸受。
【請求項１６】
前記小径側係合部材の係合凹部と前記小径側係合片との軸方向すき間及び前記大径側係合部材の係合凹部と前記大径側係合片の軸方向すき間が、いずれも前記ポケットの円すいころに対する軸方向すき間より大である関係に設定されたことを特徴とする請求項１１から１５のいずれかに記載の円すいころ軸受。
【請求項１７】
組み込み対象となる装置に請求項１１に記載の円すいころ軸受を所要の装置に組み込む円すい軸受の組み込み方法において、前記軸受内輪を軸の周りに嵌合固定したのち、前記内輪の大径取付部に大径係合部材を嵌合固定し、その後円すいころを取り付けた前記保持器セグメントの大径側係合片を前記大径取付部材に係合させて当該保持器セグメントを内輪軌道の周りに配列し、その配列が完了したのち円すいころの周りに軸受外輪を嵌合することを特徴とする円すいころ軸受の組み込み方法。
【請求項１８】
組み込み対象となる装置に請求項１１から１６のいずれかに記載の円すいころ軸受を所要の装置に組み込む円すいころ軸受の組み込み方法において、前記軸受内輪を軸の周りに嵌合固定したのち、前記内輪の大径取付部に大径係合部材を嵌合固定し、その後円すいころを取り付けた前記保持器セグメントの大径側係合片を前記大径取付部材に係合させて当該保持器セグメントを内輪軌道の周りに配列し、その配列が完了したのち前記小径取付部に小径係合部材を嵌合固定して前記保持器セグメントの小径側係合片に当該小径係合部材を係合し、その後円すいころの周りに軸受外輪を嵌合することを特徴とする円すいころ軸受の組み込み方法。
【請求項１９】
前記円すいころ軸受の装置への組み込み完了後、前記小径係合部材及び大径係合部材を前記内輪から分離除去することを特徴とする請求項１８に記載の円すいころ軸受の組み込み方法。
【発明の詳細な説明】
【技術分野】
【０００１】
この発明は、円すいころ軸受の分割型保持器を構成する保持器セグメント（以下、単に「セグメント」という。）、そのセグメントを用いた円すいころ軸受及びその円すいころ軸受を装置へ組み込む際におけるセグメントの分散落下、いわゆる「バラケ」を防止した組み込み方法に関するものである。
【背景技術】
【０００２】
円すいころ軸受においては、その組立性を改善するために、円すいころの保持器として分割型保持器を使用することが従来から行われている（特許文献１）。この場合、分割型保持器を構成するセグメントは、円すい台形のかご形保持器をその中心線を通る分割面で等分割した大略四辺形の枠形をなす。その小径側枠辺とこれに対向した大径側枠辺の間に複数の柱部が並設され、その柱部間に円すいころを収納保持するためのポケットが形成される。
【０００３】
前記の円すいころ軸受を各種装置に組み込む順序は、先に内輪を軸の周りに嵌合固定し、その後、円すいころを取り付けた複数のセグメントを内輪軌道の周りに配列する。次に、前記円すいころの周りに外輪を嵌め、その外輪の外径面に装置のハウジングを嵌めることにより軸受の組み込みを完了する。
【先行技術文献】
【特許文献】
【０００４】
【特許文献１】特開２００７−１６２９１２号公報（図２、図１４）
【発明の概要】
【発明が解決しようとする課題】
【０００５】
分割型保持器を用いた円すいころ軸受を装置に組み込む際は、前記のように、内輪軌道の周りに所要数のセグメントを配列する工程がある。この工程を実施する際には、まだ外輪が嵌合されていない状態にあるため、内輪軌道の周りに配置されたセグメントと、これに保持された円すいころは不安定な状態にある。このため、組み込み作業の途中でセグメントと円すいころのバラケが生じ、組み込みの作業性が損なわれる問題がある。
【０００６】
そこで、この発明は、円すいころ軸受の組み込み時におけるバラケ防止手段を講じたセグメント、そのセグメントによって構成された分割型保持器を用いた円すいころ軸受、及び前記保持器のバラケを防止した円すいころ軸受の組み込み方法を提供することを課題とする。
【０００７】
さらに、前記の分割型保持器を用いた円すいころ軸受を横軸（水平軸）に組み込んで使用する場合、保持器の案内は円すいころによって行われる、いわゆる、ころ案内となる。しかし、セグメントが軸受の回転の下死点（回転を上下方向の往復運動と見た場合の下死点。以下同じ）を通過する際、セグメントが円すいころから外れて下方（外輪軌道側）へ移動し、外輪側の部材と干渉するおそれがある。この発明は、このような干渉を防止し、回転の全周において保持器を安定よくころ案内できるようにすることを他の課題とする。
【課題を解決するための手段】
【０００８】
前記の課題を解決するために、この発明に係る円すいころ軸受のセグメントは、円すいかご形の保持器をその中心線を含む分割面で等分割した形状をなし、環状に組み合わせて形成される分割型保持器の小径側周縁を構成する小径側端辺と、前記分割型保持器の大径側周縁を構成する大径側端辺との間に所要数の柱部が設けられ、柱部間にころ保持用のポケットが形成された円すいころ軸受の保持器セグメントにおいて、前記小径側端辺と大径側端辺のうち少なくとも大径側端辺に軸方向外向きに突き出した大径側係合片が設けられた構成となっている。
【０００９】
回転の下死点でセグメントが円すいころから外れることを防止するという前記の課題を解決するためのセグメントとしては、前記ポケットを形成する柱部のうち、左右両端部の各柱部の内側面にポケット内方へ突き出した抜け止め突起を設け、前記抜け止め突起の突き出し量を当該ポケットに対する円すいころの強制嵌入（いわゆる、カチコミ）を許容する一方、強制嵌入後の抜け出しを規制する大きさに設定した構成をとる。
【００１０】
また、この発明に係る円すいころ軸受は、軸受内輪の大つばの軸方向外側に設けられた大径取付部に大径係合部材が嵌合固定され、前記大径係合部材はその係合凹部が内向きとなる逆Ｌ形の断面形状に形成された構成となっている。
【００１１】
さらに、この発明に係る円すいころ軸受の組み込み方法は、前記軸受内輪を軸の周りに嵌合固定したのち、前記内輪の大径取付部に大径係合部材を嵌合固定し、その後円すいころを取り付けた前記保持器セグメントの大径側係合片を前記大径取付部材に係合させて当該保持器セグメントを内輪軌道の周りに配列し、その配列が完了したのち円すいころの周りに軸受外輪を嵌合するという手順による。
【発明の効果】
【００１２】
以上のセグメント、そのセグメントを用いた円すいころ軸受及びその円すいころ軸受の組み込み方法によれば、当該円すいころの装置への組み込み時において、円すいころを取り付けた所要数のセグメントを内輪軌道の周りに配列する際、セグメントの大径側係合片を大径係合部材に係合させることにより、大径側からのセグメントのバラケを防止することができる。
【００１３】
また、すべてのセグメントの配列が完了したのち、小径取付部に小径係合部材を嵌合固定しつつセグメントの小径側係合片に前記小径係合部材を係合させることにより、小径側からのバラケも防止することができる。
【００１４】
前記のように円すいころ軸受の組み込み時においてセグメントのバラケが防止されるので、組み込みの作業性を向上させることができる。
【００１５】
また、左右両端の柱部内面に抜け止め突起を設けたセグメントにおいては、軸受の回転の下死点においてもセグメントが円すいころから外れることがないので、各セグメントの組み合わせからなる分割型保持器を安定よくころ案内することができる。
【図面の簡単な説明】
【００１６】
【図１】図１は、実施形態１の円すいころ軸受を示す一部省略断面図である。
【図２】図２は、同上の円すいころを保持した保持器セグメントの斜視図である。
【図３】図３は、図２のＸ１−Ｘ１線における拡大断面図である。
【図４】図４は、同上の取付部材の変形例の一部省略拡大断面図である。
【図５】図５は、円すいころを保持したセグメントの断面図である。
【図６】図６は、実施形態２の円すいころを保持したセグメントの断面図である。
【図７】図７（ａ）は、同上の一部拡大断面図、図７（ｂ）は、図７（ａ）図の底面図、図７（ｃ）は、Ｘ２−Ｘ２線の断面図を９０度回転して示したものである。
【図８】図８（ａ）は、同上の円すいころ軸受を示す一部省略断面図、図８（ｂ）は、図８（ａ）のＸ３−Ｘ３線の拡大断面図である。
【発明を実施するための形態】
【００１７】
以下、この発明の実施形態を添付図面に基づいて説明する。
【００１８】
[実施形態１]
図１から図５に示したように、実施形態１に係る円すいころ軸受１０は、内輪１１とその外周に同芯状に配置された外輪１２、前記内輪１１の内輪軌道１３とこれに対向した外輪１２の外輪軌道１４との間に介在された円すいころ１５、前記円すいころ１５を一定間隔に保持する分轄型保持器１６によって構成される。
【００１９】
前記内輪軌道１３の小径側に小つば部１７、大径側に大つば部１８が形成され、これらの両方のつば部１７、１８によって円すいころ１５の転動を案内する。前記小つば部１７及び大つば部１８のそれぞれ軸方向外側に小径取付部１９と大径取付部２１が形成される。
【００２０】
前記小径取付部１９及び大径取付部２１の外径面にリング状の小径係合部材２２と大径係合部材２３がそれぞれ軸方向から圧入することによって固定される。これらの係合部材２２、２３の断面形状は、逆Ｌ形をなし、その径方向への突き出し部２４を有する。その突き出し部２４の内径側にこれと対向して補強用の基部２５を内向きに突き出して設けることにより、突き出し部２４と基部２５の間に係合凹部２６が形成される。各係合部材２２、２３は、その係合凹部２６が内向きとなるようにそれぞれの基部２５が小径取付部１９及び大径取付部２１の外径面に圧入固定される。
【００２１】
前記分割型保持器１６を構成するセグメント２７は、図２に示したように、円すい台形のかご形保持器をその中心線を含む分割面で等分割した枠状をなす。各セグメント２７を環状に組み合わせることによって、軸方向の一端に小径側端辺２８、他端に大径側端辺２９を有する円すい台形のかご形の分割型保持器１６が構成される。
【００２２】
前記のセグメント２７は、樹脂製のセグメント本体３３と、そのセグメント本体３３を囲みこれと一体化された金属製の外枠部材３４の組み合わせによって構成される。
【００２３】
セグメント本体３３は、長方形の枠の相互に対向した長辺相互間に複数本（図示の場合、左右両端のものを含めて６本）の柱部３１を設けたものである。各柱部３１の間に複数個所（図示の場合は５個所）のポケット３２が形成され、各ポケット３２にそれぞれ円すいころ１５が収納保持される。円すいころ１５の小径端が対向するセグメント本体３３の辺を小径側辺３３ａ、大径端が対向する辺を大径側辺３３ｂと称する。
【００２４】
前記各柱部３１は、その上端にＹ字形に分かれた円弧状の係合爪３５ａが形成され（図３参照）、各係合爪３５ａが両側のポケット３２上に臨み、各ポケット３２に収納された円すいころ１５を抱持し、外輪１２側への抜け出しを防止する。セグメント本体３３の両側の柱部３１においては、内側にのみ湾曲した単独の円弧状の係合爪３５ａが形成され、これによりその内側の円すいころ１５を抱持し、同様に外輪１２側への抜け出しを防止する。
【００２５】
前記の外枠部材３４は、図２に示したように、セグメント本体３３の小径側辺３３ａに対向した小径側係合片３５、同じく大径側辺３３ｂに対向した大径側係合片３６、及びセグメント本体３３の左右両端の柱部３１にそれぞれ対応した左右の短辺３７によって四角形の枠形に形成されたものである。前記の外枠部材３４の内側にセグメント本体３３が嵌合された状態にインサート成形により一体成形される。
【００２６】
前記の小径側係合片３５及び大径側係合片３６は、それぞれセグメント２７の軸方向の両側へ突き出し、いずれもその先端部が軸線と平行となるよう屈曲される（図１参照）。その屈曲した先端部がそれぞれ前記小径係合部材２２及び大径係合部材２３の各係合凹部２６に差し込まれる。前記各係合片３５、３６と係合凹部２６との間に径方向のすき間を設けることによってセグメント２７が各係合部材２２、２３に対し干渉することを防止している。
【００２７】
前記の小径係合部材２２及び大径係合部材２３は、後述のように、専らこの円すいころ軸受１０を装置に組み込む際のセグメント２７のバラケ防止に機能するものであるため、組み込んだ後はこれらを外してもよい。
【００２８】
なお、セグメント２７は、セグメント本体３３と外枠部材３４の全体を合成樹脂によって射出成形してもよい。
【００２９】
前記小径係合部材２２及び大径係合部材２３の他の例として、図４に示したような半割リング形のものを用いることもできる。即ち、この場合は、半円形の係合部材半体３８の両端部に外径方向に突き出した連結つば部３８ａを設ける。各連結つば部３８ａの突き合わせ端面の同一軸線上にそれぞれ右ねじ穴３９ａ及び左ねじ穴３９ｂが設けられる。
【００３０】
前記の二つの係合部材半体３８をリング状に連結するための連結部材４０は、一端部に右ねじ軸４１ａと他端部に左ねじ軸４１ｂを有し、中間軸部４１ｃが多角形に形成されたものである。
【００３１】
前記連結部材４０の各ねじ軸４１ａ、４１ｂをそれぞれ対応したねじ穴３９ａ、３９ｂにねじ込み、中間軸部４１ｃにスパナを掛けて一定方向に回転させると、両方の連結つば部３８ａが矢印で示したように、相互に接近する方向に移動してリング状に連結され、小径係合部材２２及び大径係合部材２３が形成される。これらを、それぞれ内輪１１の小径取付部１９及び大径取付部２１の周りに締め付けて固定する。装置への組み込み後、小径係合部材２２及び大径係合部材２３を取り外してもよいことは前記の場合と同様である。
【００３２】
実施形態１の円すいころ軸受１０は以上のようなものであり、これを装置に組み込む際は、内輪１１の大径取付部２１の周りに、予め大径係合部材２３を嵌合固定しておく。そのうえで、軸が縦向き、かつ大径係合部材２３が下位となるように装置を設置し、円すいころ１５を取り付けた所要数のセグメント２７を内輪軌道１３の周りに環状に配列する。このとき、セグメント２７の大径側係合片３６を大径係合部材２３の係合凹部２６に係合させることにより大径側におけるセグメント２７及び円すいころ１５のバラケを防止する。
【００３３】
すべてのセグメント２７の配列が完了したのち、小径取付部１９に小径係合部材２２を嵌合固定するとともに、その係合凹部２６に小径側係合片３５を係合させることにより、小径側においてもバラケを防止する。その後、通常どおり外輪１２を円すいころ１５の周りに嵌合させ、さらに、その外輪１２にハウジングを嵌合させることにより円すいころ軸受１０組み込みを完了する。
【００３４】
前述のように、小径結合部材２２及び大径結合部材２３は、組み込み完了後は特別な機能をもたないので、これらを円すいころ軸受１０から分離除去してもよい。
【００３５】
なお、円すいころ１５のポケット３２から外方（外輪１２の方向）への抜け出しは、各係合爪３５ａによって防止される。
【００３６】
以上述べた実施形態１においては、セグメント２７の小径端辺２８に小径側係合片３５を設け、これに対応して小径係合部材２２を軸受内輪１１の小径取付部１９に嵌合固定する構成になっている。しかし、この軸受の組み付けの時において、大径側係合片３６を大径係合部材２３に係合させた状態で、セグメント２７は円すい形の内輪軌道１３に沿って内側に傾斜するので、一応安定状態となる。このため、セグメント２７の小径端辺２８側を拘束することは必ずしも必要がない。
【００３７】
従って、組み込みの時において、小径取付部１９に小径係合部材２２を嵌合固定するとともに、その係合凹部２６に小径側係合片３５を係合させるという工程を省略し、セグメント２７の配列後、ただちに外輪１２を円すいころ１５の周りに嵌合させる工程に移るようにしてもよい。
【００３８】
[実施形態２]
実施形態２に係るセグメント２７及びこれを用いた円すいころ軸受１０を図６から図９に基づいて説明する。
【００３９】
前述の実施形態１に係る円すいころ軸受１０は、円すいころを保持したセグメント２７を内輪軌道の周りに組付ける際のセグメント２７のバラケを防止する効果がある。しかし、組付け後における実際の使用時においては次に述べるような不具合がある。
【００４０】
即ち、この円すいころ軸受１０の回転時においては、セグメント２７を環状に組み合わせて構成された分割型保持器１６の案内は前述のようにころ案内となる。しかし、前記の円すいころ軸受１０を装着した回転軸が横軸（水平軸）として用いられた場合、セグメント２７が回転の下死点を通過するとき、図５の白抜き矢印で示したように、セグメント２７が円すいころ１５から外れて外輪軌道面１４側（下方）へ移動する現象が生じる。
【００４１】
このような現象が生じると、セグメント２７のころ案内が失われ、セグメント２７の小径側係合片３５又は大径側係合片３６（図１参照）が、それぞれ小径側係合部材２２又は大径側係合部材２３の突き出し部２４の内径面と干渉する不具合が生じる。
【００４２】
そこで、この実施形態２に係る円すいころ軸受のセグメント２７は、回転の全周にわたり安定したころ案内が可能となるように構成することにより、前記のような他部材との干渉を防止するようにしたものである。
【００４３】
図６に示したように、実施形態２のセグメント２７の基本的な構成は実施形態１の場合と同様である。相違する点は、左右両端部の柱部３１において、その柱部３１のポケット３２を形成する内側面の内径面側の側縁に抜け止め突起４２を設けている点である（図６、図７参照）。この抜け止め突起４２は、ポケット３２のセンターＯより小径側係合片３５に片寄った位置に設けられ、前記柱部３１の内径側の面と共通の面をもった断面三角形に形成される。
【００４４】
前記抜け止め突起４２のポケット３２内方への突き出し量の最大値は、円すいころ１５に一定以上に強い衝撃を加えることによりその抜け止め突起４２を弾性変形させて嵌入する方法、いわゆるカチコミにより強制嵌入させ得る大きさに設定される。このように設定することにより、特殊治具を用いることなく、またセグメント２７を破損させることなく円すいころ１５をポケット３２に強制嵌入させることができる。
【００４５】
また、前記突き出し量の最小値は、軸受回転時の遠心力やセグメント２７の自重によって円すいころ１５がポケット３２から抜け出すことを規制し得る大きさに設定される。通常、前記の突き出し量は、円すいころ１５の平均径の２〜８％に設定される。
【００４６】
ポケット３２は、前記の抜け止め突起４２が小径側係合片３５側に片寄って形成されていることから、大径側係合片３６側が相対的に広く開放されている（図７（ｃ）参照）。円すいころ１５をポケット３２に嵌入する際は、図７（ｃ）に示したように、セグメント２７の内径側の面から、円すいころ１５の小径端を前記大径側係合片３６側の広く開放された部分から抜け止め突起４２に斜めに当てた状態で衝撃を加え、その抜け止め突起４２を弾性変形させて強制嵌入させる。ポケット３２に強制的に嵌入された円すいころ１５は、セグメント２７と一体化され、分離されることがない。
【００４７】
なお、実施形態２の場合、左右両端部の柱部３１においては、射出成型時の型抜きを考慮して係合爪部３５ａを省略している。
【００４８】
図８（ａ）は前記のセグメント２７を組み合わせた分割型保持器１６を用いた円すいころ軸受１０を示している。その基本的な構成は、実施形態１(図１参照)と同様である。相違する点は、以下のとおりである。
【００４９】
第一点は、小径側係合部材２２における係合凹部２６を構成する突き出し部２４と、小径側係合片３５との径方向すき間Ｓ１、同じく大径側係合部材２３における係合凹部２６を構成する突き出し部２４と、大径側係合片３６との径方向すき間Ｓ１が、ともにセグメント２７におけるポケット３２の円すいころ１５と円弧部３５ａとの径方向すき間Ｓ２（図８（ｂ）参照）との関係が、Ｓ１＞Ｓ２の関係にある点である。
【００５０】
前記の関係があると、円すいころ１５に対し、セグメント２７が径方向すき間Ｓ２の範囲内で径方向に移動したとしても、セグメント２７の小径側係合片３５及び大径側係合片３６がそれぞれ突き出し部２４の内径面に干渉することが避けられる。
【００５１】
第二点は、小径側係合部材２２の内側面（内輪軌道１３側の面）とセグメント２７の小径側係合片３５との軸方向すき間Ｐ１と、ポケット３２の円すいころ１５に対する軸方向すき間ＡＫとの関係、及び大径側係合部材２３の内側面（内輪軌道１３側の面）とセグメント２７の大径側係合片３６の軸方向すき間Ｐ２と、ポケット３２の円すいころ１５に対する軸方向すき間ＡＫとの関係が、それぞれ、Ｐ１＞ＡＫ，Ｐ２＞ＡＫの関係にある点である。
【００５２】
このような関係があると、セグメント２７が軸方向すき間ＡＫの範囲内で軸方向に移動したとしても、小径側係合部材２２及び大径側係合部材２３の各係合凹部２６に干渉することが避けられる。
【００５３】
以上の第一点及び第二点の関係は、前述の実施形態１の場合においても適用することができる。
【符号の説明】
【００５４】
１０  円すいころ軸受
１１  内輪
１２  外輪
１３  内輪軌道
１４  外輪軌道
１５  円すいころ
１６  分割型保持器
１７  小つば部
１８  大つば部
１９  小径取付部
２１  大径取付部
２２  小径係合部材
２３  大径係合部材
２４  突き出し部
２５  基部
２６  係合凹部
２７  セグメント
２８  小径側端辺
２９  大径側端辺
３１  柱部
３２  ポケット
３３  セグメント本体
３３ａ  小径側辺
３３ｂ  大径側辺
３４  外枠部材
３５  小径側係合片
３５ａ  係合爪
３６  大径側係合片
３７  短辺
３８  係合部材半体
３８ａ  連結つば部
３９ａ  右ねじ穴
３９ｂ  左ねじ穴
４０  連結部材
４１ａ  右ねじ軸
４１ｂ  左ねじ軸
４１ｃ  中間軸部
４２  抜け止め突起
【図１】
2011149549.tif 000003
【図２】
2011149549.tif 000004
【図３】
2011149549.tif 000005
【図４】
2011149549.tif 000006
【図５】
2011149549.tif 000007
【図６】
2011149549.tif 000008
【図７】
2011149549.tif 000009
【図８】
2011149549.tif 000010